(57)【要約】  本発明は、化粧品アプリケータを設置するためのセットであって、−  アプリケータの少なくとも１つの第１の部分と、−  アプリケータの少なくとも２つの第２の部分と、−  アプリケータを作り出すために、各第１の部分を各第２の部分と組み立てるための可逆的な組立て手段とを備えるセットに関する。
2016500524.tif 000002
【特許請求の範囲】
【請求項１】
化粧品アプリケータの組立てのためのセットであって、
−  アプリケータの少なくとも１つの第１の部分（１、１１、１１１）と、
−  アプリケータの少なくとも２つの第２の部分（２、２２、２２２）と、
−  前記アプリケータを作り出すために、各第１の部分を各第２の部分と組み立てるための可逆的な組立て手段（７１、８１）と
を備えるセット。
【請求項２】
少なくとも１つの部分が、身体の表面を洗浄するための手段を備えることを特徴とする、請求項１に記載のセット。
【請求項３】
少なくとも１つの部分が、身体の表面を剥離するための手段を備えることを特徴とする、請求項１または２のどちらかに記載のセット。
【請求項４】
少なくとも１つの部分が、身体の表面をケアするための手段を備えることを特徴とする、請求項１から３のいずれか一項に記載のセット。
【請求項５】
少なくとも１つの部分が、身体の表面をマッサージするための手段を備えることを特徴とする、請求項１から４のいずれか一項に記載のセット。
【請求項６】
前記組立て手段が、各第１の部分を各第２の部分とスナップ嵌め、クリッピング、ねじ留め、または圧力嵌めするのに適していることを特徴とする、請求項１から５のいずれか一項に記載のセット。
【請求項７】
前記アプリケータを受け入れるように構成されたマッサージのためのまたは化粧品組成物を塗布するためのデバイス上に前記アプリケータを設置するための手段をも備えることを特徴とする、請求項１から６のいずれか一項に記載のセット。
【請求項８】
前記設置手段が、前記マッサージまたは化粧品組成物を塗布するためのデバイス上に前記アプリケータをスナップ嵌め、クリッピング、ねじ留め、または圧力嵌めするのに適していることを特徴とする、請求項７に記載のセット。
【請求項９】
アプリケータを受け入れるように構成された本体（３０）と、
前記本体に対して前記アプリケータを作動させるための駆動手段と、
を備える、塗布デバイスを設置するためのアセンブリであって、
前記塗布デバイスを作り出すために、請求項７または請求項８に記載の前記アプリケータを設置するためのセットをさらに備えることを特徴とするアセンブリ。
【請求項１０】
アプリケータを組み立てる方法であって、
請求項１から８のいずれか一項に記載のセットを用意するステップと、
前記アプリケータの少なくとも１つの第１の部分（１、１１、１１１）および前記アプリケータの１つの第２の部分（２、２２、２２２）を選ぶステップと、
前記アプリケータを作り出すために、選ばれた前記第１の部分を、選ばれた前記第２の部分と組み立てるステップと
を含む方法。
【請求項１１】
塗布デバイスを設置するための方法であって、
請求項７または請求項８に記載のセットを用意するステップと、
アプリケータの少なくとも１つの第１の部分（１、１１、１１１）およびアプリケータの１つの第２の部分（２、２２、２２２）を選ぶステップと、
アプリケータを作り出すために、選ばれた前記第１の部分を、選ばれた前記第２の部分と組み立てるステップと、
前記アプリケータを受け入れるように構成されたデバイス上に、作り出された前記アプリケータを設置するステップと、
を含む方法。
【請求項１２】
請求項１から８のいずれか一項に記載のアプリケータの少なくとも１つの第１の部分および前記アプリケータの１つの第２の部分が着脱可能に格納される貫通孔を備える化粧品容器を備えるアセンブリ。
【発明の詳細な説明】
【技術分野】
【０００１】
本発明の主題は、特にマッサージのためかつケア組成物を含む化粧品組成物を身体の表面に塗布するために、自分で組み立てられる化粧品アプリケータである。
【０００２】
より詳細には、このアプリケータは、身体の特定の領域のマッサージおよび皮膚の洗浄の分野において、より詳細には皮膚の毛穴から不純物を除去することを目的とするディープクレンジングにおいて特に有利である。このアプリケータは、洗浄または身体のケアを目的とした塗布でも有用となろう。
【背景技術】
【０００３】
「化粧品」という表現は１９９３年６月１４日付けの「Council Directive 93/35/EEC」で定義されている製品を意味することを理解されたい。
【０００４】
回転式アプリケータを備えるデバイスを用いた化粧品組成物の塗布は、たとえば特許文献１または特許文献２から知られている。
【０００５】
特許文献３は、ブラシアプリケータを備えるデバイスについて説明している。このブラシは、互いに接続された２つの同軸同心部品に分けられる。一方の部品は円盤の形態であり、他方の部品はリングの形態である。一方の部品は固定され、他方の部品は振動するように作製される。デバイスは、顔のケア、具体的には、にきびもしくは欠点の治療または角質除去あるいはひげそりに使用される。また、デバイスは、足または頭皮のケアに使用されてもよい。
【０００６】
特許文献４は、にきびの治療にも有用なデバイスについて説明している。このデバイスは、２つの同軸部品から形成されるアプリケータを備える。一方の部品は固定され、他方の部品は、治療される面の上で、衝撃を与えるような運動(percussive movement)を実行するように作製される。これらの２つの部品は互いに接続される。
【０００７】
特許文献５では、家庭内デバイスすなわち家庭用デバイス、たとえば歯ブラシ、マッサージ用デバイス、またはネイルケア用付属品が開示されている。このデバイスは、少なくとも２つの分離不可能な同軸部品から形成されたアプリケータを備える。これらの２つの部品は、互いに対して独立した回転運動を実行することができる。たとえば、一方の部品は時計回りの方向に回転する。他方の部品は反時計回りの方向に回転する。この他方の部品は、時計回りの方向に回転することもできる。
【０００８】
特許文献４または特許文献５によるデバイスは、身体の処理される面に各々が作用する２つの独立した運動のみを提供するという利点を有する。しかしながら、これらの文献によるアプリケータは、このアプリケータを使用者の皮膚に適合させるために使用者がアプリケータを修正できない状態で使用者に提供される。互いに対して相対的な運動を実行する２つの部品が互いに接続され、不可逆的に連結される。
【０００９】
使用者は、アプリケータに関しては、いくつかの問題と、いくつかの期待を有する。現在のところ、１つの欠点は、使用者がいくつかの異なるアプリケータを購入し、それを連続的に使用しなければならず、これには費用がかかることである。さらに、使用者がアプリケータの組成物および形状の点でアプリケータを変更することは可能でない。時には、消費者が自分に適した「すぐに使用できる」アプリケータを見つけられない可能性もある。
【００１０】
本発明によって対処される別の問題は、アプリケータを様々な顔の輪郭に適合させることができ、その構造の本質的部分(essence)を維持することである。
【００１１】
このために、本発明は、使用者による「選り好み」方式で組み立てられるアプリケータを提案する。使用者は、アプリケータを自分で組み立てる。したがって、使用者は、アプリケータの様々な構成要素を（部分ごとに）、たとえばブラシを有するある部分と、スパイクを有する別の部分とを選ぶことができる。使用者は、これらの部分を、当該の身体の区域内の皮膚に対する作用に応じて選択する。このようにして、使用者は、所与の時間に、自分に明確に適した特定のアプリケータを作ることができる。
【先行技術文献】
【特許文献】
【００１２】
【特許文献１】仏国特許出願公開第２，９１８，５４５号明細書
【特許文献２】米国特許第７４６９７０３号明細書
【特許文献３】米国特許出願公開第２００５／０２７８８７６号明細書
【特許文献４】米国特許第７３２０６９１号明細書
【特許文献５】欧州特許出願公開第ＥＰ７４４，１３９号明細書
【非特許文献】
【００１３】
【非特許文献１】Council Directive 93/35/EEC
【発明の概要】
【発明が解決しようとする課題】
【００１４】
本発明の目的は、化粧品アプリケータの組立てのためのセットであって、
−  アプリケータの少なくとも１つの第１の部分と、
−  アプリケータの少なくとも２つの第２の部分と、
−  アプリケータを作り出すための、各第１の部分を各第２の部分と組み立てるための可逆的な組立て手段と
を備えるセットを提案することによって、上記で確認された問題のすべてまたはいくつかを解決することである。
【００１５】
したがって、使用者は、いくつかの「すぐに使用できる」アプリケータの選択肢のみを有するのではなく、自分で選んだアプリケータ部分に基づいて、アプリケータを自分で組み立てることができるようになる。
【００１６】
第１の部分は、有利には、第１の化粧品機能を意図する。
【００１７】
第２の部分は、有利には、第２の化粧品機能を意図する。
【００１８】
第１の化粧品機能と第２の化粧品機能は、同じであってもよいし、異なってもよい。
【課題を解決するための手段】
【００１９】
本発明によれば、以下のような、いくつかの部分から構成されたアプリケータの使用法が提案される。
−  アプリケータを構成する部分の各々は、様々な材料から構成されることが可能であり、
−  アプリケータを構成する部分の各々は、様々な形状／突出部などと、様々な剛性のレベルとを有することが可能であり、
−  部分の各々が、異なる全体的形状を有することが可能であり、
−  使用者が所望の結果に応じて組成物を選ぶことが可能である。
【００２０】
着脱可能な部分を有するそのようなアプリケータを用いて、使用者は、顔の特定の敏感な区域（鼻の側面）に対しては１つの部分を外し、より抵抗力のある区域（頬）に対しては、その同じ部分を再び取り付けることを選ぶことができる。
【００２１】
本発明はまた、塗布デバイスを設置するためのアセンブリであって、
−  アプリケータを受け入れるように構成された本体と、
−  この本体に対してアプリケータを動かすための駆動手段と
を備え、
塗布デバイスを作り出すために、上記で定義したアプリケータを設置するためのセットをも備えることを特徴とするアセンブリに関する。
【００２２】
本発明はまた、アプリケータを組み立てるための方法であって、
−  上記で定義したセットを用意することと、
−  アプリケータの少なくとも１つの第１の部分およびアプリケータの１つの第２の部分を選ぶことと、
−  アプリケータを作り出すために、選ばれた第１の部分を、選ばれた第２の部分と組み立てるステップと
を含む方法に関する。
【００２３】
本発明はまた、塗布デバイスを設置するための方法であって、
−  上記で定義したセットを用意することと、
−  アプリケータの少なくとも１つの第１の部分およびアプリケータの１つの第２の部分を選ぶことと、
−  アプリケータを作り出すために、選ばれた第１の部分を、選ばれた第２の部分と組み立てることと、
−  作り出されたアプリケータを、アプリケータを受け入れるように構成されたデバイス上に設置することと、
を含む方法に関する。
【００２４】
有利には、アプリケータを構成する部分は、同心であるように配置される。この配置は単純で、作りやすく、様々な形状に適合可能である。
【００２５】
さらにより有利には、各部分は、アプリケータを形成するために相補的な形状を有する。したがって、アプリケータは、使用者が作り出すのが簡単である。たとえば、使用者が、アプリケータが円盤の形態であることを知っている場合、使用者は、どのようにして角度部分を位置決めするか容易に理解する。
【００２６】
化粧品機能
本発明によれば、化粧品機能とは、具体的には、
−  ケア機能、
−  水洗機能、
−  皮膚を清潔にする機能、
−  剥離（エクスフォリエーション）機能、
−  落屑機能、
−  マッサージ機能、
−  菲薄化(thinning)機能、
−  メークアップ塗布機能、
−  メークアップ除去機能、
−  洗浄機能、または
−  漂白（ブリーチング）機能
である。
【００２７】
使用者は、上記で列挙した機能のうち１つを促進するためにアプリケータを構築することを選ぶことができる。使用者はまた、２つの機能を組み合わせたアプリケータを作り出すことができる。
【００２８】
所望の効果を得るために、アプリケータのいくつかの特性を考慮に入れるべきである。この選定で考慮に入れるべき１つの極めて重要な態様は、アプリケータの性質に関する。
【００２９】
アプリケータの性質
選ばれた化粧品処理に応じて、使用者は、以下のものを選ぶことによって自分のアプリケータを構築する。
【００３０】
１／  剛性のレベル
−  研磨用の剛性アセンブリは、力強いマッサージおよび剥離に適しており、
−  可撓性アセンブリは、ケアの適用に適しており、
−  中間の剛性を有し、たとえば剛毛(bristle)から構成されるアセンブリは、洗浄に適している。
【００３１】
２／  アプリケータを構成する要素の形状
使用者は、
−  柔らかさを向上させるために、小さな突出部と小さな起伏(relief)とを有する形状、
−  マッサージのために大きな突出部と大きな起伏を有する形状、
−  起泡を促進する（大きい気泡を有するスポンジ）または反対に泡を破壊する（小さい気泡を有する高密度スポンジ）形状などの、調合物(formulation)の手触りに作用するのに適した形状
を選択する。
【００３２】
以下の表は、望まれる化粧品機能に応じて、該当する身体の区域に応じたアプリケータの性質の例を示したものである。
【００３３】
【表１】
2016500524.tif 000003
【００３４】
３／  アプリケータ部分を構成する材料
これらの材料自体は当業者に知られている。アプリケータの様々な構成成分は、
・異なる直径を有する剛毛にされた繊維（ナイロンなど）
・様々な形状を有し、熱可塑性エラストマー材料から作製されたスパイク（丸い断面、多角形断面）
・熱可塑性エラストマー材料から作製された、球状のマッサージ用起伏、半球状のマッサージ用起伏、波状のマッサージ用起伏、または他のマッサージ用起伏
・剛性材料（金属、プラスチック材料、セラミック）から作製された、球状のマッサージ用起伏、波状のマッサージ用起伏、または他のマッサージ用起伏
・スポンジ材料、フォーム材料、または何らかの他の多孔性材料
・プラスチックボール、金属ボール、またはセラミックボールを有する回転塗布剤(roll-on)
であってよい。
【００３５】
様々な部分の全体的形状および相対的配置
本発明によるセットは、より様々な効果を利用するために、各部分の相対位置の選定を消費者に任せることができる。
【００３６】
有利には、組み立てられたアプリケータの全体的形状は凹状であるか、または使用中に凹状になる。内部部品が、調合物と接触すると収縮する可撓性フォームから構成される場合、アプリケータの全体的形状が凹状になり得る。この凹状の全体的形状によって、調合物をアプリケータの下に保ち、したがってその分布を制御することが可能になり、顔および身体の起伏により容易に追従することも可能になる。
【００３７】
有利には、このことは、高さが可変の要素を担持する部分を必要とする。
【００３８】
アプリケータ部分の例
アプリケータ部分は、弾力的に変形可能および／または圧縮可能であってよい気泡材料(cellular material)を含む塗布部材を備えることができる。この材料はフォームであってよい。このフォームは、以下のリストすなわち、ポリウレタン、ポリエーテル、ポリエステル、ポリ塩化ビニル、ポリエチレン、ＥＶＡ、ラテックス、シリコーン、ＳＩＳ、ＳＥＢＳ、シリコーンエラストマー、ラテックスエラストマー、ニトリルエラストマー、ブチルエラストマー、ネオプレン(登録商標)、ＮＢＲ、ＳＢＲから選択される材料から生成されてよく、このリストは限定するものではない。
【００３９】
アプリケータ部分は、異なる性質を有する複数の層たとえばフォームのいくつかの種類を有する複合構造を有することができる。アプリケータ部分は、塗布面内へと開いたスロットまたは穴を備えることができる。
【００４０】
アプリケータ部分は、任意の形状を有することができる。アプリケータ部分は、円形断面、楕円形断面、または多角形断面、たとえば三角形の断面、方形の断面、六角形の断面などを有することができる。
【００４１】
アプリケータは、研磨特性を有することができる。「研磨特性」は、皮膚の上で動かされると、死細胞のうち少なくともいくつかを表面から除去する表面を意味すると理解されたい。
【００４２】
そのような表面は、０．０１から０．０３ｇ／ｃｍ２／分の間の研磨力によって特徴付けることができる。研磨力は、135W BlackおよびDecker CD400サンダー(sander)を使用して５０ｍｍの厚さを有する１つの石膏に適用される、研磨面１平方センチメートルにつき１分当たりで除去される石膏(plaster)の量に相当し、１つの石膏に及ぼされる圧力は、サンダーの重量に起因し、研磨面の平面における運動のみが抑制される。
【００４３】
そのようなアプリケータは、実質的に剛性の気泡材料を利用すること、または硬い粒子を可撓性気泡材料に組み込むことのいずれかによって得られる。
【００４４】
研磨面の一例は、３Ｍの販売する不織布剥離パッドである。
【００４５】
フォームは、製品を拡散するのに特に適した柔らかい可撓性フォームであってよく、これはスポンジとしても知られていることがある。
【００４６】
アプリケータは、たとえば、３２ｋｇ／ｍ３に等しい密度を有する親水性架橋ポリエステルフォームであってよい。
【００４７】
スポンジは、従来から、ファンデーションの塗布に使用されており、ＮＢＲなど、たとえばPenthouse GroupのYukilon(登録商標)も考えられる。
【００４８】
アプリケータは、射出成形された可撓性プラスチック材料、たとえばエラストマーから作製され、マッサージ用起伏たとえばスパイクまたは球を有することができる。
【００４９】
塗布部材は、たとえば、ＳＥＢＳまたはシリコーンなどのエラストマーから作製される。
【００５０】
アプリケータは、熱圧縮フォームであってよい。熱圧縮は、フォームの表面に起伏を作ることおよび／またはフォームを弾性布帛と錯体化することを可能にし、それによって、フォームの可撓性を有するが、テキスタイルの感触をプラスチックの感触よりも快いものにさせることを可能にする。
【００５１】
熱圧縮フォームの一例は、たとえばLycra(登録商標)などの弾性布帛と錯体化された、ポリオレフィンたとえば３３ｋｇ／ｍ３の比重量を有する熱圧縮ポリエチレンから作製された独立気泡フォームである。
【００５２】
アプリケータは、プラスチック材料、金属、またはガラスから作製されたやすりであってよい。
【００５３】
アプリケータは、合成剛毛または天然剛毛から作製されたブラシ、たとえば、顔の皮膚と接触したときに極めて柔らかくするために機械加工および下塗りを施された、０．０７５ｍｍの直径を有するナイロン(登録商標)６．１２のより糸の房を有する剛毛付きブラシであってよい。
【００５４】
アプリケータは、滑らかであるかまたは皮膚をマッサージするために起伏を有する、ボールまたはローラなどの、回転することが可能な要素を有することができる。
【００５５】
塗布デバイス
いくつかの種類の塗布デバイスを、それらのデバイスを動かす方法に応じて使用することができる。これらのデバイスは当業者に知られている。例としては、
ａ）単純運動：
・回転運動
・発振運動
・皮膚のマッサージまたは上方への牽引を提供するために使用者によって反転させることができる回転運動
・衝撃を与えるような運動
・振動運動
ｂ）複合運動：
・衝撃を与えるような運動に関連付けられた回転運動
・振動運動に関連付けられた回転運動
【００５６】
アプリケータは、作り出されると、たとえば回転に設定することができる。
【００５７】
駆動手段によってアプリケータを回転させるとき、アプリケータの回転の速度は、たとえば、１５０から４００ｒｐｍの間、好ましくは２００から３００の間とすることができる。
【００５８】
アプリケータは、身体に対して固定された幾何学的回転軸のまわりで回転され得る。一変形態として、アプリケータは、身体に対して移動することが可能な幾何学的回転軸のまわりで回転され得る。必要な場合、アプリケータの運動は偏心運動とすることができ、これによって、より規則的に、かつ処理領域と未処理領域との間の境界があまり目立たない状態で組成物を広げることが可能になり、このことは、たとえば日焼け用クリームにとって有利である。
【００５９】
アプリケータは、容器の長手方向軸に対してゼロ角度または非ゼロ角度を形成する幾何学的回転軸のまわりで回転され得る。非ゼロ角度によって、人間工学的な面を改善することができる。
【００６０】
アプリケータは、塗布デバイスに着脱可能に装着されてよく、これによって、塗布デバイスを洗浄するためおよび／または実行されるべき処理に応じて選択された別のアプリケータに塗布デバイスを交換するために塗布デバイスを分離することを可能にすることができる。
【００６１】
塗布デバイスは、ひげそり手段または脱毛手段および／または光線療法手段を備えることができる。
【００６２】
アプリケータ部分は、たとえば、色コードまたは接合可能な状態であることを使用者に知らせる他の記号を備えることができる。同一の記号または同一の色は、特に、互いに接続可能なアプリケータ部分で見られてもよい。
【００６３】
有利には、少なくとも１つの部分は、身体の表面を洗浄するための手段を備える。そのような部分は標準的なものに似ており、あらゆる消費者にとって有用である。
【００６４】
より有利には、少なくとも１つの部分は、身体の表面を剥離するための手段を備える。そのような部分は、同様に、消費者による需要が極めて多い。そのような部分は、顔および身体に有用である。
【００６５】
さらにより有利には、少なくとも１つの部分は、身体の表面をケアするための手段を備える。メークアップとは異なり、この部分は基本部分であり、同様に男性および女性に有用である。
【００６６】
さらにより有利には、少なくとも１つの部分は、身体の表面をマッサージするための手段を備える。この部分は、快い感覚、すなわち製品の塗布を補うものを提供する。
【００６７】
組立て手段
好ましくは、組立て手段は、各第１の部分を各第２の部分とスナップ嵌め、クリッピング、ねじ留め、または圧力嵌めするのに適している。これらの手段は、当業者に知られている簡単な手段である。
【００６８】
本発明によれば、いくつかの組立て可能性がある。組立て手段は、各部分に接続され得る。たとえば、第１の化粧品機能を意図する部分は、フックなどの第１の種類の設置手段を備える。第２の化粧品機能を意図する部分は、第１のフックと相補的な第２のフックなどの、第１の種類の設置手段と相補的な第２の種類の設置手段を備える。
【００６９】
好ましくは、第１の部分は、たとえば係止手段を形成するために、第２の部分の相補的な起伏を用いたスナップ嵌めによって係合することが可能な突出部を備える。
【００７０】
特定の一実施形態によれば、第１の部分要素は２つの突起を備えており、これら突起は、第２の部分内の相補的な中空の中に、２つの部分からなるアセンブリを形成するように、その都度、係合される。
【００７１】
別の実施形態によれば、第１の部分は、同様に、たとえば第２の部分に設けられた首部の外部縁に設けられた相補的なねじ山と螺合することによって係合することが可能なねじ山を有する、第１の部分の内部縁に設けられた設置スカートを備える。
【００７２】
組立て手段は、格子または穿孔された部品などの少なくとも１つの相補的部品をも備えることができ、この部品の上に、選ばれた部分の各々が配置される。したがって、選ばれた部分を使用位置に保持することが、さらに強化され得る。たとえば、使用者は、それらの部分をたとえば指で押すことによって開口に組み込み、したがって、前記部分は開口を通過する。
【００７３】
これらの部分は、たとえば格子内のオリフィスの外部縁にスナップで留めることによって、この相補的部品の上に設置され得る。中間部品は、これらの部分を設置／除去するためのピンも有することができる。
【００７４】
設置手段
好ましくは、セットは、アプリケータを受け入れるように構成されたマッサージのためのまたは化粧品組成物を塗布するためのデバイス上にアプリケータを設置するための手段をも備える。この場合、セットは、それ自体知られているデバイスに適合可能である。
【００７５】
好ましくは、設置手段は、マッサージまたは化粧品組成物を塗布するためのデバイス上にアプリケータをスナップ嵌め、クリッピング、ねじ留め、または圧力嵌めするのに適している。これらの手段は、当業者に知られている簡単な手段である。
【００７６】
これらの設置手段は、所定の硬度の１つまたは複数の点または切欠きを備えることができる。これらの手段は、案内溝と同一線上に位置付けされ得る。
【００７７】
１つの特性によれば、アプリケータは、マッサージデバイスまたは塗布デバイスに対してアプリケータを保持するためにデバイスの外側縁部上の突出部と係合する出っ張りを備える少なくとも１つのタブを備える。
【００７８】
本発明はまた、上記で定義したアプリケータの少なくとも１つの第１の部分およびアプリケータの１つの第２の部分が着脱可能に格納される貫通孔を備える化粧品容器を備えるアセンブリに関する。
【００７９】
具体的には、この容器はチューブであってもよいし、ボトルであってもよい。
【００８０】
本発明は、その非限定的な実装例の以下の説明を、添付の図面を参照しながら読めば、さらに理解することができる。
【図面の簡単な説明】
【００８１】
【図１】本発明によるセットの一例の概略斜視図である。
【図２】図１からのセットの断面ＡＡにおいて上から見た図である。
【図３】３から９の間の部分を備える、図１からのセットの断面ＡＡにおいて上から見た図である。
【図４】３から９の間の部分を備える、図１からのセットの断面ＡＡにおいて上から見た図である。
【図５】３から９の間の部分を備える、図１からのセットの断面ＡＡにおいて上から見た図である。
【図６】３から９の間の部分を備える、図１からのセットの断面ＡＡにおいて上から見た図である。
【図７】３から９の間の部分を備える、図１からのセットの断面ＡＡにおいて上から見た図である。
【図８】本発明によるアセンブリの一例の概略斜視図である。
【図９】各部分が第１の相対位置にある、本発明によるアプリケータの概略斜視図である。
【図１０】断面ＢＢにおける、図９のアプリケータの断面を示す図である。
【図１１】各部分が第１の相対位置にある、本発明によるアプリケータの概略斜視図である。
【図１２】断面ＣＣにおける、図１１のアプリケータの断面を示す図である。
【図１３】各部分が第３の相対位置にある、本発明によるアプリケータの概略斜視図である。
【図１４】断面ＤＤにおける、図１３のアプリケータの断面を示す図である。
【図１５】断面における、２つのアプリケータ部分およびフックによって形成されるその設置手段を示す図である。
【図１６】断面における、２つのアプリケータ部分およびフックによって形成されるその設置手段を示す図である。
【図１７】断面における、３つのアプリケータ部分および格子によって形成されるその設置手段を示す図である。
【図１８】断面における、３つのアプリケータ部分および格子によって形成されるその設置手段を示す図である。
【図１９】断面における、３つのアプリケータ部分および格子によって形成されるその設置手段を示す図である。
【図２０】断面における、３つのアプリケータ部分および格子によって形成されるその設置手段を示す図である。
【図２１】縦断面における、本発明によるアセンブリの一例の概略図である。
【発明を実施するための形態】
【００８２】
図１は、３つのアプリケータ部分を備える箱１０００を示す。１つの部分１は、リングの形態である。１つの部分１はマッサージ機能用であるが、この目的のみを意図するわけではない。例を挙げると、１つの部分１は回転ボールを備える。２つの他の部分２および２２は、皮膚を清潔にする機能を意図する要素で覆われた円盤の形態である。たとえば、これらの要素は、１ｍｍの直径および１ｃｍの高さを有するスパイクである。使用者は、リング１と２つの円盤２、２２のうち一方を接合することによって、アプリケータを作り出す。２つの円盤２、２２は、スパイクの硬度のために互いに異なってもよい。消費者は、皮膚の敏感さに応じて、自分に適した円盤２、２２を選択する。２つの円盤２、２２の各々は、力を必要としない簡単な機能によってリングへとスナップ嵌めされてよい。アプリケータはすぐに組み立てられる。各円盤２、２２の直径は、極めて簡単にリング１と係合するように与えられる。このために、円盤とリングが組み立てられると、円盤とリングとの間にわずかな間隙が見える。この図１によれば、本発明によるセットは箱の中に包装されているが、そうである必要はない。たとえばその包装は、小さい袋であってもよい。
【００８３】
図２は、アプリケータ部分の各々を識別するために、断面ＡＡにおける図１の場合を示す。
【００８４】
図３は、断面ＡＡにおける、本発明による別のキットを示す。今回、目的は、それ自体の中心で開放されている円盤を形成することである。このために、消費者は、衛生機能を意図するリング１と、剥離機能を意図する２つの２分の１の円盤２、２２をも備える。円盤２２は円盤２よりも硬い。たとえば、消費者がアプリケータを身体に使用することを望む場合、１と２を組み立てることを選ぶ。アプリケータを顔に使用することを望む場合は、１と２２を組み立てる。これらの部分は螺合され、それによって組立てを単純化することができる。
【００８５】
図４〜図７に示されるキットは、次のように形成される。
【００８６】
図４：
部分１、１１、１１１：洗浄機能を有するリング
部分２、２２、２２２：研磨機能を有する円盤
組立て手段：フック
消費者は、円盤の形態をしたアプリケータを形成するために、部分１、または１１、または１１１、および部分２、または２２、または２２２を選ぶ。
【００８７】
図５：
部分１、１１、１１１：洗浄機能を有する３／４円盤
部分２、２２、２２２：洗浄機能を有する１／４円盤
組立て手段：圧力嵌め
消費者は、円盤の形態をしたアプリケータを形成するために、部分１、または１１、または１１１、および部分２、または２２、または２２２を選ぶ。
【００８８】
図６：
部分１、１１、１１１：清潔にする機能を有する１／２円盤
部分２、２２、２２２：研磨機能を有する１／２円盤
組立て手段：クリッピング
消費者は、円盤の形態をしたアプリケータを形成するために、部分１、または１１、または１１１、および部分２、または２２、または２２２を選ぶ。
【００８９】
図７：
部分１、１１、１１１：洗浄機能を有する１／２円盤
部分２、２２、２２２：研磨機能を有する１／４円盤
部分３、３３、３３３：ケア機能を有する３／４円盤
組立て手段：フック
消費者は、円盤の形態をしたアプリケータを形成するために、部分１、または１１、または１１１、および部分２、または２２、または２２２、および部分３、または３３、または３３３を選ぶ。
【００９０】
図３〜図７では、アプリケータは円盤の形態であるが、そうである必要はない。アプリケータは、たとえば、星の形態であってもよいし、シリンダの形態であってもよいし、プレートの形態であってもよい。
【００９１】
図８は、本発明によるアセンブリの一例を示す。この例は、部分１、または１１、および２、または２２、または２２２から形成されたアプリケータを受け入れるように構成された本体３０を備える。たとえば、部分１および１１は、研磨機能を有する。部分２、２２、および２２２は、軟化機能を有する。これらの部分は、回転運動、振動運動、衝撃を与えるような運動、または発振運動において駆動されるために、本体３上にアプリケータを設置するための設置フックを備える。
【００９２】
図９〜図１４は、各アプリケータのために同一部分を有する本発明によるアプリケータを作り出す３つの可能性を示す。単に、各位置の間で、２つの部分１と２の長手方向中央平面間の角度オフセットが変化する。図１３および図１４では、２つの部分１と２の長手方向中央平面ＰとＰ’は平行である。ＰとＰ’の間の傾きはゼロである。
【００９３】
図１１および図１２では、２つの部分１と２の長手方向中央平面ＰとＰ’は交差する。ＰとＰ’の間の角度オフセットは、α’すなわち約＋２０゜である。
【００９４】
図９および図１０では、２つの部分１と２の長手方向中央平面ＰとＰ’は交差する。ＰとＰ’の間の角度オフセットは、αすなわち約−２０゜である。
【００９５】
もちろん、ＰとＰ’との間の他の位置も可能である。これらの位置に応じて、身体の区域は異なるように処理される。
【００９６】
図１５および図１６は、２つのアプリケータ部分１および２を示す。その組立て手段は、相補的な形状を有するフックによって形成される。これらのフック７１、７２、および７３は、第１の部分に配置される。相補的なフック８１、８２、および８３は、第２の部分に配置される。
【００９７】
図１７〜図２０は、３つのアプリケータ部分および格子によって形成されるその設置手段を示す。格子９９は、部分１、２、および３を受け入れるための基部として働き、部分１、２、および３は、オリフィス９９１、９９２、および９９３の中に圧力嵌めされる。
【００９８】
図２１は、チューブの形態をした化粧品容器４０を備える、本発明によるアセンブリを示す。このアセンブリは、部分１および部分２が着脱可能に格納可能である貫通孔４４を備える。
【００９９】
本発明によるデバイスを使用するために、たとえば、アプリケータを回転させずに組成物を塗布することが可能であり、これによって、たとえば、処理されるべき領域の上に組成物を広げることを可能にすることができる。次いで、組成物を塗布した領域をマッサージするために、アプリケータを回転させる。
【０１００】
別の例では、処理されるべき領域をマッサージするために、アプリケータを回転させ、組成物を与えない。
【０１０１】
さらに別の例では、処理されるべき領域をマッサージするために、アプリケータを回転させ、初回には組成物を分配しない。
【０１０２】
マッサージ機能は、たとえば、皮膚の上でのアプリケータの摩擦のために、局所的な加熱をもたらすことがあり、アプリケータ上に組成物がないことによって、最初は、摩擦およびそれから生じる熱の感覚が増加することがある。
【０１０３】
次に、依然としてアプリケータを回転させている間、または一変形態として、アプリケータが停止している間、組成物を分配し、先にマッサージした領域の上に広げる。
【０１０４】
本発明によるセットは、各部分を互いに接合するとアプリケータとともに使用されるべき少なくとも１つの化粧品を備えることもできる。有利には、この場合、互いに接合されるべき部分は、化粧品の包装に接続されてもよい。たとえば、包装がチューブである場合、包装は、アプリケータ部分を可逆的に格納するように、少なくとも１つの貫通オリフィスを備えてよい。
【０１０５】
本明細書全体において、「備える」という表現は、そうではないと明記されていない限り、「少なくとも１つを備える」と同義であると見なすべきである。
【符号の説明】
【０１０６】
１  部分、リング、アプリケータ部分
２  部分、円盤
３  部分、本体
１１  部分
２２  部分、円盤
３０  本体
３３  部分
４０  化粧品容器
４４  貫通孔
７１  フック
７２  フック
７３  フック
８１  フック
８２  フック
８３  フック
９９  格子
１１１  部分
２２２  部分
３３３  部分
９９１  オリフィス
９９２  オリフィス
９９３  オリフィス
１０００  箱
【図１】
2016500524.tif 000004
【図２】
2016500524.tif 000005
【図３】
2016500524.tif 000006
【図４】
2016500524.tif 000007
【図５】
2016500524.tif 000008
【図６】
2016500524.tif 000009
【図７】
2016500524.tif 000010
【図８】
2016500524.tif 000011
【図９】
2016500524.tif 000012
【図１０】
2016500524.tif 000013
【図１１】
2016500524.tif 000014
【図１２】
2016500524.tif 000015
【図１３】
2016500524.tif 000016
【図１４】
2016500524.tif 000017
【図１５】
2016500524.tif 000018
【図１６】
2016500524.tif 000019
【図１７】
2016500524.tif 000020
【図１８】
2016500524.tif 000021
【図１９】
2016500524.tif 000022
【図２０】
2016500524.tif 000023
【図２１】
2016500524.tif 000024
【国際調査報告】
2016500524.tif 000025
2016500524.tif 000026